【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビットストリームから、アクセス単位内の復号順序において最初のビデオコーディングレイヤ（ＶＣＬ）ネットワーク抽象化レイヤ（ＮＡＬ）単位を復号することと、ここにおいて、前記アクセス単位は、少なくとも１つのピクチャを再構成するための前記ビデオデータを含む、
前記ビットストリームから、前記アクセス単位内の復号順序において第２のＶＣＬ  ＮＡＬ単位を復号することと、
前記ビットストリームから前記最初のＶＣＬ  ＮＡＬ単位を復号する前に、前記ビットストリームから、前記アクセス単位内の特定のタイプの付加拡張情報（ＳＥＩ）メッセージを復号することと、ここにおいて、ＳＥＩメッセージは、前記ビデオデータの処理に関連する情報を含む、
前記ビットストリームから前記最初のＶＣＬ  ＮＡＬ単位を復号した後であり且つ前記ビットストリームから前記第２のＶＣＬ  ＮＡＬ単位を復号する前に、前記ビットストリームから、前記アクセス単位内の前記特定のタイプの前記ＳＥＩメッセージのコピーを復号することと、ここにおいて、前記ビットストリームにおける前記特定のタイプの前記ＳＥＩメッセージの前記コピーの内容は、前記特定のタイプの前記復号されたＳＥＩメッセージの内容と同一になるように制限される、
を備える方法。
【請求項２】
前記特定のタイプの前記ＳＥＩメッセージを判定することと、
前記アクセス単位の時間識別値を判定することと、
前記ＳＥＩメッセージの存在が許容されるかどうかを、前記アクセス単位の前記時間識別値と前記特定のタイプの前記ＳＥＩメッセージとに基づいて判定することと
をさらに備え、前記ＳＥＩメッセージを復号することは、前記ＳＥＩメッセージの前記存在が許容されるかどうかの前記判定に基づいて前記ＳＥＩメッセージを復号すること
を備える、請求項１に記載の方法。
【請求項３】
前記特定のタイプの前記ＳＥＩメッセージは、
バッファリング期間ＳＥＩメッセージ、
ピクチャタイミングＳＥＩメッセージ、
パンスキャン長方形ＳＥＩメッセージ、
フィラペイロードＳＥＩメッセージ、
登録済みユーザデータＳＥＩメッセージ、
未登録ユーザデータＳＥＩメッセージ、
回復点ＳＥＩメッセージ、
シーン情報ＳＥＩメッセージ、
フルフレームスナップショットＳＥＩメッセージ、
プログレッシブリファインメントセグメント開始ＳＥＩメッセージ、
プログレッシブリファインメントセグメント終了ＳＥＩメッセージ、
フィルム粒子特性ＳＥＩメッセージ、
デブロッキングフィルタ表示プリファレンスＳＥＩメッセージ、
ポストフィルタヒントＳＥＩメッセージ、
トーンマッピング情報ＳＥＩメッセージ、
フレームパッキング配置ＳＥＩメッセージ、
表示方位ＳＥＩメッセージ、
ピクチャの構造記述ＳＥＩメッセージ、
フィールド表示ＳＥＩメッセージ、
復号されたピクチャハッシュＳＥＩメッセージ、
アクティブパラメータセットＳＥＩメッセージ、または、
サブピクチャタイミングＳＥＩメッセージ
のうちの１つを備える、請求項１に記載の方法。
【請求項４】
前記ＳＥＩメッセージを復号することは、マルチセッション伝送のために前記アクセス単位内の前記ＳＥＩメッセージを復号することを備え、前記ＳＥＩメッセージの前記コピーを復号することは、前記マルチセッション伝送のために前記アクセス単位内の前記ＳＥＩメッセージの前記コピーを復号することを備える、請求項１に記載の方法。
【請求項５】
ビデオデータを復号するデバイスであって、
前記ビデオデータを格納するように構成されたメモリユニットと、
ビットストリームから、アクセス単位内の復号順序において最初のビデオコーディングレイヤ（ＶＣＬ）ネットワーク抽象化レイヤ（ＮＡＬ）単位を復号し、ここにおいて、前記アクセス単位は、少なくとも１つのピクチャを再構成するための前記ビデオデータを含む、
前記ビットストリームから、前記アクセス単位内の復号順序において第２のＶＣＬ  ＮＡＬ単位を復号し、
前記ビットストリームから前記最初のＶＣＬ  ＮＡＬ単位を復号する前に、前記ビットストリームから、前記アクセス単位内の特定のタイプの付加拡張情報（ＳＥＩ）メッセージを復号し、ここにおいて、ＳＥＩメッセージは、前記ビデオデータの処理に関連する情報を含む、
前記ビットストリームから前記最初のＶＣＬ  ＮＡＬ単位を復号した後であり且つ前記ビットストリームから前記第２のＶＣＬ  ＮＡＬ単位を復号する前に、前記ビットストリームから、前記アクセス単位内の前記特定のタイプの前記ＳＥＩメッセージのコピーを復号する、ここにおいて、前記ビットストリームにおける前記特定のタイプの前記ＳＥＩメッセージの前記コピーの内容は、前記特定のタイプの前記復号されたＳＥＩメッセージの内容と同一になるように制限される、
ように構成されたビデオ復号器と
を備える、デバイス。
【請求項６】
前記ビデオ復号器は、
前記特定のタイプの前記ＳＥＩメッセージを判定し、
前記アクセス単位の時間識別値を判定し、
前記ＳＥＩメッセージの存在が許容されるかどうかを、前記アクセス単位の前記時間識別値と前記特定のタイプの前記ＳＥＩメッセージとに基づいて判定する
ように構成され、前記ビデオ復号器は、前記ＳＥＩメッセージの前記存在が許容されるかどうかの前記判定に基づいて前記ＳＥＩメッセージを復号するように構成される
請求項５に記載のデバイス。
【請求項７】
前記特定のタイプのＳＥＩメッセージは、
バッファリング期間ＳＥＩメッセージ、
ピクチャタイミングＳＥＩメッセージ、
パンスキャン長方形ＳＥＩメッセージ、
フィラペイロードＳＥＩメッセージ、
登録済みユーザデータＳＥＩメッセージ、
未登録ユーザデータＳＥＩメッセージ、
回復点ＳＥＩメッセージ、
シーン情報ＳＥＩメッセージ、
フルフレームスナップショットＳＥＩメッセージ、
プログレッシブリファインメントセグメント開始ＳＥＩメッセージ、
プログレッシブリファインメントセグメント終了ＳＥＩメッセージ、
フィルム粒子特性ＳＥＩメッセージ、
デブロッキングフィルタ表示プリファレンスＳＥＩメッセージ、
ポストフィルタヒントＳＥＩメッセージ、
トーンマッピング情報ＳＥＩメッセージ、
フレームパッキング配置ＳＥＩメッセージ、
表示方位ＳＥＩメッセージ、
ピクチャの構造記述ＳＥＩメッセージ、
フィールド表示ＳＥＩメッセージ、
復号されたピクチャハッシュＳＥＩメッセージ、
アクティブパラメータセットＳＥＩメッセージ、または、
サブピクチャタイミングＳＥＩメッセージ
のうちの１つを備える、請求項５に記載のデバイス。
【請求項８】
前記ビデオ復号器は、マルチセッション伝送のために前記アクセス単位内の前記ＳＥＩメッセージを復号するように構成され、前記ビデオ復号器は、前記マルチセッション伝送のために前記アクセス単位内の前記ＳＥＩメッセージの前記コピーを復号するように構成される、請求項５に記載のデバイス。
【請求項９】
前記デバイスは、
マイクロプロセッサ、集積回路、ディジタル信号プロセッサ（ＤＳＰ）、フィールドプログラマブルゲートアレイ（ＦＰＧＡ）、デスクトップコンピュータ、ラップトップコンピュータ、タブレットコンピュータ、ワイヤレス通信デバイス、フォン、テレビジョン、カメラ、ディスプレイデバイス、ディジタルメディアプレイヤ、ビデオゲーム機、ビデオゲーミングデバイス、または、ビデオストリーミングデバイス、
のうちの少なくとも１つを備える、請求項５に記載のデバイス。
【請求項１０】
前記少なくとも１つのピクチャを表示するように構成されたディスプレイをさらに備える、請求項５に記載のデバイス。
【請求項１１】
受信器をさらに備え、ここにおいて、前記受信器は、有線通信またはワイヤレス通信を介して、前記ビデオデータを受信するように構成される、請求項５に記載のデバイス。
【請求項１２】
ビデオデータを復号するデバイスの１つまたは複数のプロセッサによって実行された時に、前記１つまたは複数のプロセッサに、
ビットストリームから、アクセス単位内の復号順序において最初のビデオコーディングレイヤ（ＶＣＬ）ネットワーク抽象化レイヤ（ＮＡＬ）単位を復号することと、ここにおいて、前記アクセス単位は、少なくとも１つのピクチャを再構成するための前記ビデオデータを含む、
前記ビットストリームから、前記アクセス単位内の復号順序において第２のＶＣＬ  ＮＡＬ単位を復号することと、
前記ビットストリームから前記最初のＶＣＬ  ＮＡＬ単位を復号する前に、前記ビットストリームから、前記アクセス単位内の特定のタイプの付加拡張情報（ＳＥＩ）メッセージを復号することと、ここにおいて、ＳＥＩメッセージは、前記ビデオデータの処理に関連する情報を含む、
前記ビットストリームから前記最初のＶＣＬ  ＮＡＬ単位を復号した後であり且つ前記ビットストリームから前記第２のＶＣＬ  ＮＡＬ単位を復号する前に、前記ビットストリームから、前記アクセス単位内の前記特定のタイプの前記ＳＥＩメッセージのコピーを復号することと、ここにおいて、前記ビットストリームにおける前記特定のタイプの前記ＳＥＩメッセージの前記コピーの内容は、前記特定のタイプの前記復号されたＳＥＩメッセージの内容と同一になるように制限される、
を行わせる、その上に格納されたコンピュータ実行可能命令を有する非一時的コンピュータ可読記憶媒体。
【請求項１３】
前記１つまたは複数のプロセッサに、
前記特定のタイプの前記ＳＥＩメッセージを判定させ、
前記アクセス単位の時間識別値を判定させ、
前記ＳＥＩメッセージの存在が許容されるかどうかを、前記アクセス単位の前記時間識別値と前記ＳＥＩメッセージの前記タイプとに基づいて判定させる
命令をさらに備え、前記１つまたは複数のプロセッサに前記ＳＥＩメッセージを復号させる前記命令は、前記１つまたは複数のプロセッサに、前記ＳＥＩメッセージの前記存在が許容されるかどうかの前記判定に基づいて前記ＳＥＩメッセージを復号させる命令を備える
請求項１２に記載の固定コンピュータ可読記憶媒体。
【請求項１４】
前記特定のタイプのＳＥＩメッセージは、
バッファリング期間ＳＥＩメッセージ、
ピクチャタイミングＳＥＩメッセージ、
パンスキャン長方形ＳＥＩメッセージ、
フィラペイロードＳＥＩメッセージ、
登録済みユーザデータＳＥＩメッセージ、
未登録ユーザデータＳＥＩメッセージ、
回復点ＳＥＩメッセージ、
シーン情報ＳＥＩメッセージ、
フルフレームスナップショットＳＥＩメッセージ、
プログレッシブリファインメントセグメント開始ＳＥＩメッセージ、
プログレッシブリファインメントセグメント終了ＳＥＩメッセージ、
フィルム粒子特性ＳＥＩメッセージ、
デブロッキングフィルタ表示プリファレンスＳＥＩメッセージ、
ポストフィルタヒントＳＥＩメッセージ、
トーンマッピング情報ＳＥＩメッセージ、
フレームパッキング配置ＳＥＩメッセージ、
表示方位ＳＥＩメッセージ、
ピクチャの構造記述ＳＥＩメッセージ、
フィールド表示ＳＥＩメッセージ、
復号されたピクチャハッシュＳＥＩメッセージ、
アクティブパラメータセットＳＥＩメッセージ、または、
サブピクチャタイミングＳＥＩメッセージ
のうちの１つを備える、請求項１２に記載の非一時的コンピュータ可読記憶媒体。
【請求項１５】
前記１つまたは複数のプロセッサに前記ＳＥＩメッセージを復号させる前記命令は、前記１つまたは複数のプロセッサに、マルチセッション伝送のために前記アクセス単位内の前記ＳＥＩメッセージを復号させる命令を備え、前記１つまたは複数のプロセッサに前記ＳＥＩメッセージの前記コピーを復号させる前記命令は、前記１つまたは複数のプロセッサに、前記マルチセッション伝送のために前記アクセス単位内の前記ＳＥＩメッセージの前記コピーを復号させる命令を備える、請求項１２に記載の固定コンピュータ可読記憶媒体。
【請求項１６】
ビデオデータを復号するデバイスであって、
ビットストリームから、アクセス単位内の復号順序において最初のビデオコーディングレイヤ（ＶＣＬ）ネットワーク抽象化レイヤ（ＮＡＬ）単位を復号するための手段と、ここにおいて、前記アクセス単位は、少なくとも１つのピクチャを再構成するための前記ビデオデータを含む、
前記ビットストリームから、前記アクセス単位内の復号順序において第２のＶＣＬ  ＮＡＬ単位を復号するための手段と、
前記ビットストリームから前記最初のＶＣＬ  ＮＡＬ単位を復号する前に、前記ビットストリームから、前記アクセス単位内の特定のタイプの付加拡張情報（ＳＥＩ）メッセージを復号するための手段と、ここにおいて、ＳＥＩメッセージは、前記ビデオデータの処理に関連する情報を含む、
前記ビットストリームから前記最初のＶＣＬ  ＮＡＬ単位を復号した後であり且つ前記ビットストリームから前記第２のＶＣＬ  ＮＡＬ単位を復号する前に、前記ビットストリームから、前記アクセス単位内の前記特定のタイプの前記ＳＥＩメッセージのコピーを復号するための手段と、ここにおいて、前記ビットストリームにおける前記特定のタイプの前記ＳＥＩメッセージの前記コピーの内容は、前記特定のタイプの前記復号されたＳＥＩメッセージの内容と同一になるように制限される、
を備えるデバイス。
【請求項１７】
ビデオデータを符号化する方法であって、
アクセス単位内で、特定のタイプの付加拡張情報（ＳＥＩ）メッセージを符号化することと、ここにおいて、前記アクセス単位は、少なくとも１つのピクチャを再構成するための前記ビデオデータを含み、ＳＥＩメッセージは、前記ビデオデータの処理に関連する情報を含む、
前記アクセス単位内の復号順序において最初のビデオコーディングレイヤ（ＶＣＬ）ネットワーク抽象化レイヤ（ＮＡＬ）単位の前に前記特定のタイプの前記ＳＥＩメッセージを含めることと、
前記アクセス単位内の前記特定のタイプの前記ＳＥＩメッセージの複数のインスタンスの内容に関する制限に基づいて、前記アクセス単位内の前記特定のタイプの前記ＳＥＩメッセージのコピーを符号化することと、前記制限は、前記特定のタイプの前記ＳＥＩメッセージの前記符号化されたコピーの内容が、前記特定のタイプの前記符号化されたＳＥＩメッセージの内容と同一になることである、
前記アクセス単位内の復号順序において前記最初のＶＣＬ  ＮＡＬ単位の後であり且つ復号順序において第２のＶＣＬ  ＮＡＬ単位の前に、前記ＳＥＩメッセージの前記コピーを含めることと、
を備える方法。
【請求項１８】
ビデオデータを符号化するデバイスであって、
前記ビデオデータを格納するように構成されたメモリユニットと、
アクセス単位内で、特定のタイプの付加拡張情報（ＳＥＩ）メッセージを符号化し、ここにおいて、前記アクセス単位は、少なくとも１つのピクチャを再構成するための前記ビデオデータを含み、ＳＥＩメッセージは、前記ビデオデータの処理に関連する情報を含む、
前記アクセス単位内の復号順序において最初のビデオコーディングレイヤ（ＶＣＬ）ネットワーク抽象化レイヤ（ＮＡＬ）単位の前に前記特定のタイプの前記ＳＥＩメッセージを含め、
前記アクセス単位内の前記特定のタイプの前記ＳＥＩメッセージの複数のインスタンスの内容に関する制限に基づいて、前記アクセス単位内の前記特定のタイプの前記ＳＥＩメッセージのコピーを符号化し、前記制限は、前記特定のタイプの前記ＳＥＩメッセージの前記符号化されたコピーの内容が、前記特定のタイプの前記符号化されたＳＥＩメッセージの内容と同一になることである、
前記アクセス単位内の復号順序において前記最初のＶＣＬ  ＮＡＬ単位の後であり且つ復号順序において第２のＶＣＬ  ＮＡＬ単位の前に、前記ＳＥＩメッセージの前記コピーを含める、
ように構成されたビデオ符号器と
を備えるデバイス。
【請求項１９】
前記デバイスは、
マイクロプロセッサ、集積回路、ディジタル信号プロセッサ（ＤＳＰ）、フィールドプログラマブルゲートアレイ（ＦＰＧＡ）、デスクトップコンピュータ、ラップトップコンピュータ、タブレットコンピュータ、ワイヤレス通信デバイス、フォン、テレビジョン、カメラ、ディスプレイデバイス、ディジタルメディアプレイヤ、ビデオゲーム機、ビデオゲーミングデバイス、または、ビデオストリーミングデバイス、
のうちの少なくとも１つを備える、請求項１８に記載のデバイス。
【請求項２０】
前記少なくとも１つのピクチャを取り込むように構成されたカメラをさらに備える、請求項１８に記載のデバイス。